【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
一つ以上の操作子を備えるとともに、ユーザによって前記操作子が操作されることで、操作対象である被操作機器に対して要求する動作内容を該被操作機器に与える操作端末であって、
該操作端末が備える前記操作子の構成を示す情報を含む操作子情報を格納する操作子情報記憶部と、
該操作端末外部から与えられる前記被操作機器が取り得る動作内容を含む機器動作情報と、前記操作子情報記憶部から与えられる前記操作子情報とを用い、所定の規則に基づいて該操作端末が備える前記各操作子に対し前記被操作機器の動作内容を割り当てることで、前記操作子と前記被操作機器の動作内容との割当関係を示す機器操作情報を生成する操作子設定部と、
前記操作子設定部より与えられる前記機器操作情報を記憶する機器操作情報記憶部と、を備え、
前記機器操作情報記憶部に記憶される前記機器操作情報と、ユーザによって操作される操作内容とから、ユーザが前記被操作機器に対して要求する動作内容を得て、当該動作内容を含む要求動作情報を前記被操作機器に与えることを特徴とする操作端末。
【請求項２】
前記各操作子が、該各操作子の配置や属性に基づいてグループ化されることで、一つ以上の操作子グループを構成するとともに、前記操作子情報が、前記各操作子グループの構成を示す情報を含む一つ以上の操作子情報グループにより構成され、
前記機器動作情報が、前記被操作機器が取り得る動作内容に基づいてグループ化された一つ以上の機器動作情報グループによって構成され、
前記操作子設定部で割当を行う際の前記所定の規則が、前記各機器動作情報グループによって表される前記被操作機器の各動作内容の割当先を前記操作子情報グループ単位で設定するものであることを特徴とする請求項１に記載の操作端末。
【請求項３】
前記操作子情報グループが、
該操作子情報グループによって表される前記操作子グループに属する前記各操作子に共通の配置の情報を表す配置情報、該操作子情報グループによって表される前記操作子グループに属する前記各操作子に共通の属性の情報を表す属性情報、及び前記操作子グループに属する前記各操作子の配置と属性の情報、の内の少なくとも一つの情報を備えることを特徴とする請求項２に記載の操作端末。
【請求項４】
前記機器動作情報グループが、
前記被操作機器が所望する割当先の情報を表す割当先情報と、
前記割当先に対して割り当てる内容を表す割当内容情報と、を備えることを特徴とする請求項２又は請求項３に記載の操作端末。
【請求項５】
前記割当内容を表示手段に表示することにより、ユーザーが操作子に割り当てられた内容を確認することができることを特徴とする請求項４に記載の操作端末。
【請求項６】
前記操作子設定部で割当を行う際の前記所定の規則が、
未だ他の前記機器動作情報グループに記載の動作内容が割り当てられていない全ての前記操作子情報グループに対して、割り当てようとする当該機器動作情報グループに記載の動作内容の割当が可能か否かを確認する第１ステップと、
割当可能である前記操作子情報グループが存在する場合に、当該操作子情報グループに対して当該機器動作情報グループの内容を割り当てる第２ステップと、を備えることを特徴とする請求項２〜請求項５のいずれかに記載の操作端末。
【請求項７】
前記操作子の数を見かけ上増大させるためのモード切替機能を備え、
前記モード切替機能によってモードを切り替えることで、前記各操作子に割り当てられた機能の切替が可能であることを特徴とする請求項２〜請求項６のいずれかに記載の操作端末。
【請求項８】
前記操作子設定部で割当を行う際の前記所定の規則が、
前記第１ステップで割当可能である前記操作子情報グループが存在しないことを確認した場合に、前記モード切替機能を利用して新たなモードを導入することで見かけ上前記操作子の数を増大させて、当該機器動作情報グループに対して再度割当が可能か否かを確認する第３ステップを備えることを特徴とする請求項７に記載の操作端末。
【請求項９】
前記操作子設定部で割当を行う際の前記所定の規則が、
前記第１ステップで割当可能である前記操作子情報グループが存在しないことを確認した場合に、全ての前記操作子の内、未だ他の前記機器動作情報グループに記載の動作内容が割り当てられていない全ての前記操作子に対して当該機器動作情報グループに記載の動作内容の割当が可能か否かを再度確認する第４ステップを備えることを特徴とする請求項６〜請求項８のいずれかに記載の操作端末。
【請求項１０】
前記被操作機器を操作するための端末としての機能を果たすために実装すべき必要度に応じた順位付けがされた優先度が前記機器動作情報グループに含まれることを特徴とする請求項２〜請求項９のいずれかに記載の操作端末。
【請求項１１】
前記操作子設定部で割当を行う際の前記所定の規則が、前記機器動作情報グループの割当を行う際、前記機器動作情報グループに記載される前記優先度順に、前記操作子情報グループに対して割当が可能か否かを確認するものであることを特徴とする請求項１０に記載の操作端末。
【請求項１２】
前記被操作機器が、前記機器動作情報が格納される機器動作情報記憶部を備え、前記操作子設定部は、前記被操作機器が備える前記機器動作情報記憶部から前記機器動作情報が与えられることを特徴とする請求項１〜請求項１１のいずれかに記載の操作端末。
【請求項１３】
前記機器動作情報が格納される機器動作情報記憶部が、種類の異なる複数の前記被操作機器を識別するための機器情報と、前記機器情報に該当する前記被操作機器が取り得る動作の内容が記載される前記機器動作情報とを対応させて格納する機器動作情報データベースを構成することを特徴とする請求項１〜請求項１１のいずれかに記載の操作端末。
【請求項１４】
前記操作子設定部が、前記機器動作情報データベースに前記機器情報を与えるとともに、該機器情報に対応する前記機器動作情報を前記機器動作情報データベースから取得することを特徴とする請求項１３に記載の操作端末。
【請求項１５】
前記被操作機器が前記機器情報を記憶する機器情報記憶部を備えるとともに、前記操作子設定部が前記被操作機器より前記機器情報を取得することを特徴とする請求項１４に記載の操作端末。
【請求項１６】
前記操作子設定部で割当を行う際の前記所定の規則が、前記被操作機器の動作内容の割り当て完了後、備えられる前記操作子の内、未だ割り当てがされていない未割当操作子が存在する場合に、前記未割当操作子に対して前記被操作機器とは異なる他の前記被操作機器の動作内容の割り当てを行うことを特徴とする請求項１〜請求項１５のいずれかに記載の操作端末。
【請求項１７】
一つ以上の操作子を備えるとともに、ユーザによって前記操作子が操作されることで、操作対象である被操作機器に対して要求する動作内容を該被操作機器に与える操作端末が備える前記操作子の構成を示す情報を含む操作子情報と、前記被操作機器が取り得る動作内容を含む機器動作情報とを用い、所定の規則に基づいて前記操作端末が備える前記各操作子に対し前記被操作機器の動作内容を割り当てることで、前記操作子と前記被操作機器の動作内容との割当関係を示す機器操作情報を生成する操作子設定部と、
前記操作端末を含む外部機器との情報交換を行うためのインターフェースと、を有し、
前記操作子設定部で生成された前記機器操作情報を前記インターフェースを介して前記操作端末に与えることを特徴とする操作機能割当装置。
【請求項１８】
ユーザによって操作される被操作機器と、
一つ以上の操作子を備えるとともに、前記操作子が操作されることで、ユーザが前記被操作機器に対して要求する動作内容を前記被操作機器に与える操作端末と、
前記操作端末が備える前記操作子の構成を示す情報を含む操作子情報を格納する操作子情報記憶部と、
前記被操作機器が取り得る動作内容を含む機器動作情報を格納する機器動作情報記憶部と、
前記操作子情報記憶部から与えられる前記操作子情報と前記機器動作情報記憶部から与えられる前記機器動作情報とを用いた所定の規則に基づいて前記操作端末が備える前記各操作子に対し前記被操作機器の動作内容を割り当てることで、前記操作子と前記被操作機器の動作内容との割当関係を示す機器操作情報を生成する操作子設定部とを備え、
前記操作端末が、前記操作子設定部より与えられる前記機器操作情報を記憶する機器操作情報記憶部を有するとともに、該機器操作情報記憶部に記憶される前記機器操作情報と、ユーザによって操作される操作内容とから、ユーザが前記被操作機器に対して要求する動作内容を得て、当該動作内容を含む要求動作情報を前記被操作機器に与え、
前記被操作機器が、前記操作端末から与えられる前記要求動作情報に含まれる前記動作内容に応じた動作を行うことを特徴とする電子機器制御システム。
【請求項１９】
前記各操作子が、該各操作子の配置や属性に基づいてグループ化されることで、一つ以上の操作子グループを構成するとともに、前記操作子情報が、前記各操作子グループの構成を示す情報を含む一つ以上の操作子情報グループにより構成され、
前記機器動作情報が、前記被操作機器が取り得る動作内容に基づいてグループ化された一つ以上の機器動作情報グループによって構成され、
前記操作子設定部で割当を行う際の前記所定の規則が、前記各機器動作情報グループによって表される前記被操作機器の各動作内容の割当先を前記操作子情報グループ単位で設定するものであることを特徴とする請求項１８に記載の電子機器制御システム。
【請求項２０】
前記操作子に対して前記被操作機器の動作内容の割当を行う操作機能割当方法であって、請求項１〜請求項１１、請求項１６のいずれかに記載の操作端末が備える前記操作子設定部が行う操作機能割当方法
【請求項２１】
一つ以上の操作子を備えるとともに、ユーザによって前記操作子が操作されることで、操作対象である被操作機器に対して要求する動作内容を該被操作機器に与える操作端末であって、
請求項１７に記載の操作機能割当装置が生成した前記機器操作情報が与えられるとともに、ユーザの操作内容と前記機器操作情報とに基づいて前記被操作機器に対して要求する動作内容を与えることを特徴とする操作端末。
【手続補正２】
【補正対象書類名】明細書
【補正対象項目名】００１１
【補正方法】変更
【補正の内容】
【００１１】
又、このとき、前記各操作子が、該各操作子の配置や属性に基づいてグループ化されることで、一つ以上の操作子グループを構成するとともに、前記操作子情報が、前記各操作子グループの構成を示す情報を含む一つ以上の操作子情報グループにより構成され、前記機器動作情報が、前記被操作機器が取り得る動作内容に基づいてグループ化された一つ以上の機器動作情報グループによって構成され、前記操作子設定部で割当を行う際の前記所定の規則が、前記各機器動作情報グループによって表される前記被操作機器の各動作内容の割当先を前記操作子情報グループ単位で設定するものとしても構わない。
【手続補正３】
【補正対象書類名】明細書
【補正対象項目名】００１３
【補正方法】変更
【補正の内容】
【００１３】
又、前記機器動作情報グループが、前記被操作機器が所望する割当先の情報を表す割当先情報と、前記割当先に対して割り当てる内容を表す割当内容情報とを備えるものとしても構わない。又、前記割当内容を表示手段に表示することにより、ユーザーが操作子に割り当てられた内容を確認することができるものとしても構わない。
【手続補正４】
【補正対象書類名】明細書
【補正対象項目名】００２７
【補正方法】変更
【補正の内容】
【００２７】
又、このような電子機器制御システムにおいて、前記操作端末が備える各操作子が、前記操作端末が備える各操作子の配置や属性に基づいてグループ化されることで、一つ以上の操作子グループを構成するとともに、前記操作子情報が、前記各操作子グループの構成を示す情報を含む一つ以上の操作子情報グループにより構成され、前記機器動作情報が、前記被操作機器が取り得る動作内容に基づいてグループ化された一つ以上の機器動作情報グループによって構成され、前記操作子設定部で割当を行う際の前記所定の規則が、前記各機器動作情報グループによって表される前記被操作機器の各動作内容の割当先を前記操作子情報グループ単位で設定するものであるものとしてもよい。